(57)【要約】【課題】ユーザが自身の好みに応じた画像に調整する際に調整の程度を容易に把握できる画像撮影装置を提供する。【解決手段】画像撮影装置は、被写体像を撮像して画像データを生成する画像センサと、ユーザからの、画像データに対する画像処理に関する設定を受け付ける設定画面を表示する表示部（１８）と、設定画面での設定に応じて決定される制御パラメータにしたがい画像処理を行う画像処理部（１４）と、アンケートを表示部に表示させ、アンケートに対するユーザからの回答を取得し、取得した回答にしたがい制御パラメータのデフォルト値を設定する制御部（２０）と、を備える。画像処理部は、制御パラメータにしたがい画像データに対してリアルタイムで画像処理を行う。設定画面は、画像処理部により画像処理された画像データが示す画像をリアルタイムで表示する表示領域を含む。【選択図】図２
2020022143.tif 000002
【特許請求の範囲】
【請求項１】
被写体像を撮像して画像データを生成する画像センサと、
ユーザからの、前記画像データに対する画像処理に関する設定を受け付ける設定画面を表示する表示部と、
前記設定画面での設定に応じて決定される制御パラメータにしたがい前記画像処理を行う画像処理部と、
アンケートを前記表示部に表示させ、前記アンケートに対するユーザからの回答を取得し、取得した回答にしたがい前記制御パラメータのデフォルト値を設定する制御部と、を備え、
前記画像処理部は、前記制御パラメータにしたがい前記画像データに対してリアルタイムで画像処理を行い、
前記設定画面は、前記画像処理部により画像処理された画像データが示す画像をリアルタイムで表示する表示領域を含む、
画像撮影装置。
【請求項２】
前記アンケートはユーザの性別および年齢に関する質問を含む、請求項１に記載の画像撮影装置。
【請求項３】
前記制御パラメータは、前記画像処理において、前記画像データが示す画像の加工の程度を示す情報である、請求項１に記載の画像撮影装置。
【請求項４】
前記画像処理は、人物の顔、目、肌及び／または髪の画像の特性を変更する処理を含む、請求項１に記載の画像撮影装置。
【請求項５】
前記画像処理は、画像全体の色調を変化させるフィルタ処理を含む、請求項１に記載の画像撮影装置。
【請求項６】
前記設定画面は、人物の顔、目、肌及び／または髪の画像の特性を変更するためのボタンを含む、請求項１に記載の画像撮影装置。
【請求項７】
前記設定画面は、画像全体の色調を変化させるためのボタンを含む、請求項１に記載の画像撮影装置。
【請求項８】
前記制御部は、所定のアプリケーションプログラムを実行することで前記画像処理を実現し、前記アプリケーションプログラムを取得後に最初に実行したときに、前記アンケートを前記表示部に表示する、
請求項１に記載の画像撮影装置。
【請求項９】
画像撮影機能を有する電子機器の動作を制御するプログラムであって、
画像センサにより、被写体像を撮像して画像データを生成するステップと、
ユーザからの、前記画像データに対する画像処理に関する設定を受け付ける設定画面を表示部に表示するステップと、
前記表示部での設定に応じて決定される制御パラメータにしたがい前記画像処理を行うステップと、
アンケートを前記表示部に表示させ、前記アンケートに対するユーザからの回答を取得し、取得した回答にしたがい前記制御パラメータのデフォルト値を設定するステップと、
を前記電子機器に実行させ、
前記制御パラメータにしたがい前記画像データに対してリアルタイムで画像処理を行い、
前記設定画面は、前記画像処理された画像データが示す画像をリアルタイムで表示する、
プログラム。
【請求項１０】
画像撮影機能を有する携帯端末とネットワークを介して接続するサーバであって、
前記携帯端末からアンケートに対する回答を示す情報を受信する受信部と、
前記アンケートに対する回答を示す情報に基づき、前記携帯端末における画像処理の制御パラメータのデフォルト値を設定する制御部と、
前記制御パラメータのデフォルト値を前記サーバに送信する送信部と
を備えたサーバ。
【発明の詳細な説明】
【技術分野】
【０００１】
本発明は、被写体を撮像し画像データを生成し、生成した画像データに対してユーザが画像処理を行うことができる画像撮影装置に関する。
【背景技術】
【０００２】
特許文献１は、デジタルカメラに関する知識が少なく操作に不慣れな使用者であっても設定項目を適切に設定でき自分の好みに合った画像を撮ることができるデジタルカメラを開示する。
【０００３】
特許文献１のデジタルカメラは、使用者へのアンケートを出力する液晶モニタと、液晶モニタに出力された使用者へのアンケートに対する使用者からの応答を入力するカーソルキー等の入力手段と、入力手段で入力された使用者からの応答を変換して設定条件を生成するシステム制御用ＣＰＵおよびシステム制御用メモリと、システム制御用ＣＰＵおよびシステム制御用メモリで生成された設定条件に基づいて、被写体を撮像して画像データを生成する撮像素子、画像処理回路および画像処理用ＣＰＵ等とを有する。設定条件としては、露出補正値、ホワイトバランス、ＩＳＯ感度、記録画素数、圧縮率などである。
【先行技術文献】
【特許文献】
【０００４】
【特許文献１】特開２００４−３１２５０８号公報
【発明の概要】
【発明が解決しようとする課題】
【０００５】
特許文献１では、アンケートに対する応答に基づき生成される設定条件は、静止画には反映されるが、動画像までは反映されない。このため、動画像を見た際に最終のイメージがイメージできない。つまり、撮影するまで、どのような画像が生成されるか使用者にとって、わからないという課題がある。
【０００６】
本発明は、上記の課題を鑑みてなされたものであり、ユーザが自身の好みに応じた画像に調整する際に調整の程度を容易に把握できる画像撮影装置を提供することを目的とする。
【課題を解決するための手段】
【０００７】
本発明の第一の態様において、画像撮影装置が提供される。画像撮影装置は、被写体像を撮像して画像データを生成する画像センサと、ユーザからの、画像データに対する画像処理に関する設定を受け付ける設定画面を表示する表示部と、設定画面での設定に応じて決定される制御パラメータにしたがい画像処理を行う画像処理部と、アンケートを表示部に表示させ、アンケートに対するユーザからの回答を取得し、取得した回答にしたがい制御パラメータのデフォルト値を設定する制御部と、を備える。画像処理部は、制御パラメータにしたがい画像データに対してリアルタイムで画像処理を行う。設定画面は、画像処理部により画像処理された画像データが示す画像をリアルタイムで表示する表示領域を含む。
【０００８】
本発明の第二の態様において、画像撮影機能を有する電子機器の動作を制御するプログラムが提供される。このプログラムは、画像センサにより、被写体像を撮像して画像データを生成するステップと、ユーザからの、画像データに対する画像処理に関する設定を受け付ける設定画面を表示部に表示するステップと、表示部での設定に応じて決定される制御パラメータにしたがい画像処理を行うステップと、アンケートを表示部に表示させ、アンケートに対するユーザからの回答を取得し、取得した回答にしたがい制御パラメータのデフォルト値を設定するステップと、電子機器に実行させる。制御パラメータにしたがい画像データに対してリアルタイムで画像処理を行い、設定画面は、画像処理された画像データが示す画像をリアルタイムで表示する。
【０００９】
本発明の第三の態様において、画像撮影機能を有する携帯端末とネットワークを介して接続するサーバが提供される。このサーバは、携帯端末からアンケートに対する回答を示す情報を受信する受信部と、アンケートに対する回答を示す情報に基づき、携帯端末における画像処理の制御パラメータのデフォルト値を設定する制御部と、制御パラメータのデフォルト値をサーバに送信する送信部とを備える。
【発明の効果】
【００１０】
本発明によれば、表示部において、リアルタイムで画像処後の画像が表示される。これにより、ユーザは表示部の画像を参照することで、自身の好みに応じた画像に調整する際に調整の程度を容易に把握することができる。
【図面の簡単な説明】
【００１１】
【図１】本発明に係る画像撮影装置の一実施形態である携帯端末のネットワークとの接続を示した図
【図２】携帯端末の構成を示すブロック図
【図３】携帯端末のフラッシュメモリに格納される情報の例を示した図
【図４】ユーザへのアンケートを表示した画面を示す図
【図５】実施の形態１における画像撮影用画面の一例を示す図
【図６】画像撮影用画面からマイレタッチ画面への遷移を説明した図
【図７】画像撮影用画面からフィルタ設定画面への遷移を説明した図
【図８】携帯端末におけるアンケート結果に基づく画像撮影パラメータのデフォルト値の設定処理を示すフローチャート
【図９】携帯端末における画像撮影処理を示すフローチャート
【図１０】レタッチ設定の保存を可能とするマイレタッチ画面の一例を示す図
【図１１】レタッチ設定の保存動作を説明した図
【図１２】過去に保存したレタッチ設定の呼び出し動作を説明した図
【図１３】サーバにおいてパラメータのデフォルト値を設定する場合のシーケンス図
【発明を実施するための形態】
【００１２】
以下、本発明の具体的な実施の形態について添付の図面を参照しながら説明する。
【００１３】
（実施の形態１）
図１は、本発明に係る画像撮影装置の一実施形態である携帯端末のネットワークとの接続を示した図である。携帯端末１００は、ネットワーク３００を介してサーバ５００と接続される。携帯端末１００は例えばスマートフォンである。ネットワーク３００は例えばインターネットである。携帯端末１００は、ネットワーク３００を介して、サーバ５００から種々のアプリケーションプログラムをダウンロードしたり、サーバ５００へ撮影した画像の画像データをアップロードしたりすることができる。
【００１４】
１．構成
１−１．携帯端末
図２は、携帯端末１００の内部構成を示すブロック図である。携帯端末１００は、被写体を撮像して画像データを生成する機能と、生成した画像データに対してユーザが画像処理を行うことができる機能とを有している。
【００１５】
携帯端末１００は、光学系１０を介して形成された被写体像を画像センサ１２で撮像し画像データを生成する。画像処理回路１４は、画像センサ１２により生成された撮像データに対して各種処理を施して画像データを生成する。コントローラ２０は、画像処理回路１４にて生成された画像データをメモリカード３４に記録する。また、コントローラ２０は、メモリカード３４に記録された画像データを、使用者による操作部２４の操作にしたがいディスプレイ１８上に表示（再生）させることができる。
【００１６】
光学系１０はフォーカスレンズを含む。光学系１０はさらにズームレンズを含んでもよい。光学系１０に含まれるレンズの構成は任意である。
【００１７】
画像センサ１２は、光学系１０を介して形成された被写体像を撮像して撮像データを生成する。画像センサ１２は、所定のフレームレート（例えば、３０フレーム／秒）で新しいフレームの画像データを生成する。画像センサ１２における、撮像データの生成タイミングおよび電子シャッタ動作は、コントローラ２０によって制御される。画像センサ１２として、ＣＭＯＳイメージセンサ、ＣＣＤイメージセンサ、またはＮＭＯＳイメージセンサなど、種々のイメージセンサを用いることができる。
【００１８】
画像処理回路１４は、画像センサ１２から出力された撮像データに対して各種の処理（ガンマ補正、等）を施して画像データを生成する。画像処理回路１４は、画像センサ１２から出力された撮像データに対して各種の処理を施して、ディスプレイ１８にリアルタイムで表示（ライブビュー表示）するための画像を生成する。また、画像処理回路１４は、画像センサ１２から出力された撮像データに対して各種の処理を施して、メモリカード３４またはフラッシュメモリ２２に記録（保存）するための画像を生成したりする。または、画像処理回路１４は、メモリカード３４またはフラッシュメモリ２２から読み出した画像データに各種の処理を施して、ディスプレイ１８に表示（再生）するための画像を生成する。画像処理回路１４は、ハードワイヤードな電子回路で構成してもよいし、プログラムを用いたマイクロコンピュータなどで構成してもよい。
【００１９】
特に、画像処理回路１４は顔認識モジュールを実装しており、画像から顔の輪郭点等を抽出し、顔や顔の器官（目、口等）の輪郭点を抽出し、顔の輪郭や目の形状を認識することができる。
【００２０】
ディスプレイ１８は画像処理回路１４にて処理された画像データに基づく画像を表示する。ディスプレイ１８は、液晶ディスプレイ、有機ＥＬディスプレイ等で実現できる。
【００２１】
コントローラ２０はＣＰＵを含み、携帯端末１００全体の動作を統括制御する。コントローラ２０は、ＣＰＵに代えて、所定の機能を実現するように設計された専用の電子回路で構成されるプロセッサを含んでもよい。すなわち、コントローラ２０は、ＣＰＵ、ＭＰＵ、ＧＰＵ、ＤＳＵ、ＦＰＧＡ、ＡＳＩＣ等の種々のプロセッサで実現できる。コントローラ２０は１つまたは複数のプロセッサで構成してもよい。また、コントローラ２０は、画像処理回路１４などと共に1つの半導体チップで構成してもよい。また、コントローラ２０はＣＰＵの作業領域として機能するＲＡＭ（図示せず）を内蔵している。
【００２２】
バッファメモリ１６は、画像処理回路１４やコントローラ２０のワークメモリとして機能する記録媒体である。バッファメモリ１６は、ＤＲＡＭ（Ｄｙｎａｍｉｃ Ｒａｎｄｏｍ Ａｃｃｅｓｓ Ｍｅｍｏｒｙ）などにより実現される。
【００２３】
カードスロット３２は、着脱可能なメモリカード３４が挿入される手段である。カードスロット３２は、メモリカード３４を電気的及び機械的に接続可能である。メモリカード３４は、内部にフラッシュメモリ等の記録素子を備えた外部メモリである。メモリカード３４は、画像処理回路１２０で生成される画像データなどのデータを格納できる。
【００２４】
フラッシュメモリ２２は、サーバ５００からダウンロードしたアプリケーションプログラムや、不揮発性の記録媒体であり、撮影した画像の画像データを格納する。
【００２５】
操作部２４は、携帯端末１００に対するユーザによる操作を受け付ける手段である。操作部２４は、物理的なボタンやタッチパネル、ディスプレイに表示される仮想的なボタン等を含む。
【００２６】
Ｗｉ-Ｆｉモジュール２６は、通信規格ＩＥＥＥ８０２．１１またはＷｉ−Ｆｉ規格に準拠した通信を行う通信モジュール（回路）である。携帯端末１００は、Ｗｉ-Ｆｉモジュール１５５を介して、Ｗｉ-Ｆｉモジュールを搭載した他の機器と通信することができる。携帯端末１００は、Ｗｉ-Ｆｉモジュール２６を介して、他の機器と直接通信を行ってもよいし、アクセスポイント経由で通信を行ってもよい。
【００２７】
Ｂｌｕｅｔｏｏｔｈモジュール２８は、通信規格８０２．１５．１すなわちＢｌｕｅｔｏｏｔｈ（登録商標）規格に準拠した通信を行うためのモジュール（回路）である。携帯端末１００は、Ｂｌｕｅｔｏｏｔｈモジュール２８を介して他の機器とＢｌｕｅｔｏｏｔｈ規格に準拠した通信を行うことができる。
【００２８】
４Ｇモジュール３０は、４Ｇ規格に準拠した通信を行うためのモジュール（回路）である。携帯端末１００は、４Ｇモジュール３０を介して通信業者が提供する公衆通信網に接続することができる。
【００２９】
図３は、携帯端末１００のフラッシュメモリ２２に格納される情報の例を示した図である。フラッシュメモリ２２は、カメラアプリケーション４２と、画像処理パラメータのデフォルト値４４とを格納する。
【００３０】
カメラアプリケーション４２は、人物の画像を撮影し、フラッシュメモリ２２またはメモリカード３４等の記録媒体に記録するためのアプリケーションプログラムである。カメラアプリケーション４２はネットワーク３００を介してサーバ５００からダウンロードされるが、光ディスク及びメモリカードのような記録媒体を介して提供されてもよい。カメラアプリケーション４２は、画像撮影機能に加えて、撮影した画像に対して画像処理（加工）を施すレタッチ機能を有する。レタッチ機能の詳細は後述する。
【００３１】
上記の各画像効果に対する画像処理について、その適用強度がユーザにより任意に段階的に設定できるようになっている。具体的には、適用強度を五段階（１〜５）に設定できるようになっている。この適用強度は画像処理パラメータで表される。画像処理パラメータのデフォルト値４４とは、上記の各画像効果に対する画像処理の適用強度（段階数）を示すパラメータのデフォルト値である。本例では、適用強度を五段階に設定できるが、段数は「五」に限らず、適用強度を四段階以下または６段階以上に設定できるようにしてもよい。
【００３２】
１−２．サーバ
図１に示すように、サーバ５００は、通信モジュール５１０と、コントローラ５２０とを備える。通信モジュール５１０は、ネットワーク３００を介して携帯端末１００と通信を行うための通信回路である。コントローラ５２０は、サーバ５００の動作を制御する制御回路であり、ＣＰＵ、ＭＰＵ、ＧＰＵ、ＤＳＵ、ＦＰＧＡ、ＡＳＩＣ等の種々のプロセッサで実現できる。サーバ５００は、ネットワーク３００を介して、携帯端末１００に対してアプリケーションプログラムを提供することができる。
【００３３】
２．携帯端末の動作
以上のような構成を有する携帯端末１００の画像撮影時に動作について説明する。以下に説明する動作（すなわち、機能）は、携帯端末１００のコントローラ２０がカメラアプリケーション４２を実行することにより実現される。
【００３４】
２−１．アンケート機能
本実施の形態の携帯端末１００は、カメラアプリケーション４２をサーバ５００からダウンロードした後最初に実行したときに、ユーザにアンケートを提示し、アンケートに対するユーザからの回答を取得する。取得したアンケート結果は、画像処理のための制御パラメータのデフォルト値の設定に使用される。
【００３５】
図４は、カメラアプリケーション４２を最初に実行したときにディスプレイ１８に表示されるアンケート画面の一例を示した図である。アンケート画面６２は、ユーザに対して性別および生年月日を質問している。ユーザは、性別を選択するためのアイコン６４のいずれかを選択することで、「男性」、「女性」「その他」を回答することができる。また、ユーザは、ドラムロール式ＵＩ６６により年・月・日をそれぞれ選択することで、生年月日を入力することができる。入力が終了すると、ユーザは完了ボタン６８をタッチすることで、回答を確定し、終了することができる。なお、ユーザはこのアンケートに回答したくない場合、チェックボックス６５にチェックを入力し、完了ボタン６８をタッチすることで、アンケートへの回答を拒否することができる。入力されたアンケートの情報はコントローラ２０のＲＡＭに一時的に格納される。
【００３６】
アンケートの実行タイミングは、カメラアプリケーション４２をサーバ５００からダウンロードした後最初に実行したときとしたが、これに限定されない。カメラアプリケーション４２を起動した時に毎回アンケートを実施するようにしてもよい。または、カメラアプリケーション４２に対する設定（レタッチ機能に対する設定及びフィルタに対する設定）がユーザにより大幅に変更されたときに、アンケートを実行するようにしてもよい。
【００３７】
２−２．画像撮影
図５は、実施の形態１における画像撮影用画面の一例を示す図である。ユーザはこの画面で画像を撮影することができる。画像撮影用画面７０は、撮影前の被写体の画像を表示する表示領域７１と、シャッタボタン７３と、マイレタッチボタン７４と、フィルタ設定ボタン７５とを含む。
【００３８】
表示領域７１は、ユーザからの画像撮影の開始指示を待つ撮影待機状態において、画像センサ１２により撮像された被写体の画像をライブビュー表示する。ユーザは、ライブビュー表示された画像を見ながら、好みのポーズ、画角を設定することができる。シャッタボタン７３は、ユーザが画像撮影の開始を指示するためのボタンである。画像撮影用画面７０は、撮影する画像の種類を写真（静止画）または動画に設定するためのボタン７７、７９をさらに含む。
【００３９】
２−３．マイレタッチ機能
前述のように、カメラアプリケーション４２は、ユーザにより撮像した画像をユーザの好みの画像に加工する機能（以下「マイレタッチ機能」という）を有する。ユーザは、マイレタッチ画面上で、画像処理（盛り）の程度を自分好みの値に設定できる。これにより、ユーザは自身の画像を盛ることができ、さらに盛れ感を自分好みに細かく（本例では、五段階に）調整することができる。
【００４０】
本実施の形態のカメラアプリケーション４２は、マイレタッチ機能により実現する画像効果（盛る項目）として例えば下記の効果を与える。
「美肌」：肌をよりきめ細やかに表現する（画像処理回路１４は、撮像画像から肌の部分を検出し、肌の部分に対してぼかし処理を施す）。
「デカ目」：被写体の目のサイズを大きくする（画像処理回路１４は、撮像画像から目の輪郭点を認識し、認識した目の輪郭点を目が大きくなるように変形する）。
「小顔」：被写体の顔のサイズを小さくする（画像処理回路１４は、撮像画像から顔の輪郭点を認識し、認識した顔の輪郭点を顔が小さくなるように変形する）。
「目キラキラ」：目の中にキャッチライトを付加する（画像処理回路１４は、撮像画像から黒目を認識し、認識した黒目にコンテンツ（キャッチライト）の画像を合成する）。
「髪ツヤ」：被写体人物の髪のツヤを変化させる（画像処理回路１４は、撮像画像から、髪の部分を認識し、認識した髪に画像処理（ぼかし量の変化、飛び出た毛髪の消去、等）を施す）。
【００４１】
図６は、画像撮影用画面７０からマイレタッチ画面７０ｂへの遷移を説明した図である。画像撮影用画面７０において、マイレタッチボタン７４がタッチされると、図６に示すように、ディスプレイ１８に表示される画面が画像撮影用画面７０からマイレタッチ画面７０ｂへ遷移する。
【００４２】
マイレタッチ画面７０ｂは、ユーザが、撮影画像を好みの画像効果を設定するための画面である。前述のように、携帯端末１００は、撮影画像に対して、「美肌」、「デカ目」、「小顔」、「目キラキラ」、「髪ツヤ」の画像効果を付与する画像処理を施すことができる。ユーザは、どの画像効果をどの程度の強さで適用するかを設定することができる。
【００４３】
図６（Ｂ）において、ボタン８５は「美肌」の画像処理の程度を設定するためのボタンである。ボタン８７は「デカ目」の画像処理の程度を設定するためのボタンである。ボタン８９は「小顔」の画像処理の程度を設定するためのボタンである。図６（Ｂ）の例では表示されていないが、「目キラキラ」と「髪ツヤ」の画像処理の程度を設定するためのボタンもある。これらのボタンは、マイレタッチ画面７０ｂの右側の外側の領域に仮想的に配置されており、画面上は表示されていないが、マイレタッチ画面７０ｂにおいてボタン８５、８７等が表示されている領域を左へスワイプすることで、マイレタッチ画面７０ｂ内に表示させることができる。
【００４４】
各画像処理に対するボタン８５、８７、…をタッチして選択し、その後、スライドバー８１のツマミ８１ｂを左右に移動させることで、選択した画像処理に対する効果の程度（すなわち、画像処理を適用する強度）を１〜５のいずれかに設定することができる。例えば、ボタン８５をタッチして選択し、その後、スライドバー８１のツマミ８１ｂを「４」に移動させることで、「美肌」の画像処理の程度を「４」に設定することができる。各ボタン８５、８７、…を選択することで、画像処理毎に、効果の程度を設定することができる。ボタン８３は、全ての効果の程度を一括して設定するためのボタンである。ボタン８３を選択して、効果の程度を設定した場合、設定した値が、すべての画像処理に対して一括して設定される。
【００４５】
マイレタッチに関する設定が終了した場合、ユーザはマーク７８をタッチすることで、マイレタッチ画面７０ｂから画像撮影用画面７０に戻ることができる。
【００４６】
２−４．フィルタ機能
カメラアプリケーション４２は、別の画像処理として、画像全体の色調をホワイト、ピンク、ブルー等の色調に変更するフィルタ機能を有する。フィルタの設定はフィルタ設定画面で行われる。フィルタ機能（フィルタ処理）は、彩度補正、コントラスト補正、明度（明るさ）補正、カラーバランスの調整（色相補正）、トーンカーブの調整（階調補正）等で実現される。
【００４７】
図７は、画像撮影用画面７０からフィルタ設定画面７０ｃへの遷移を説明した図である。画像撮影用画面７０において、フィルタ設定ボタン７５がタッチされると、図７に示すように、ディスプレイ１８に表示される画面が画像撮影用画面７０からフィルタ設定画面７０ｃへ遷移する。
【００４８】
フィルタ設定画面７０ｃでは、画像全体の色調を変更できる。ボタン９３は、画像全体の色調をクリアな感じに設定するためのボタンである。ボタン９５、９７、９９はそれぞれ、画像全体の色調をホワイト、ピンク、ブルーに設定するためのボタンである。
【００４９】
フィルタを設定する場合、いずれかのボタン９３、９５、…をタッチして選択し、その後、スライドバー９１のツマミ９１ｂを左右に移動させることで、選択したフィルタ処理に対する効果の程度（すなわち、画像処理を適用する強度）を１〜５の五段階で設定することができる。図７（Ｂ）の例では、ボタン９７が選択されており、スライドバー９１のツマミ９１ｂが「３」に設定されている。
【００５０】
フィルタの設定が終了した場合、ユーザはマーク７８をタッチすることで、フィルタ設定画面７０ｃから画像撮影用画面７０に戻ることができる。
【００５１】
以上のように、カメラアプリケーションによれば、撮影画像の特性をユーザの好みのものに変更することができる。さらにその変更の程度（強度）を段階的に調整することができる。マイレタッチ画面７０ｂおよびフィルタ設定画面７０ｃ上でユーザにより設定が変更された場合、その設定変更は直ちに表示領域７１に表示されるライブビュー画像に反映される。このため、ユーザは、自身が設定した画像処理の効果をすぐに確認することができ、好みの画像を得るための設定を容易に認識することができる。
【００５２】
２−５．画像処理用の制御パラメータのデフォルト値の設定
図８は、携帯端末１００におけるアンケート結果に基づく、画像処理用の制御パラメータのデフォルト値の設定処理を示すフローチャートである。本処理は、携帯端末１００においてカメラアプリケーション４２が最初に実行されるときに実行される。
【００５３】
コントローラ２０は、カメラアプリケーション４２が起動されると、図４に示すようなアンケート画面６２を含む画面をディスプレイ１８に表示する（Ｓ１１）。カメラアプリケーション４２の起動は、例えば、ディスプレイ１８上に配置された、カメラアプリケーション４２のアイコンをユーザがタッチすることでなされる。
【００５４】
アンケート画面６２上でユーザが回答する。ユーザにより完了ボタン６８がタッチされると（Ｓ１２）、コントローラ２０は、アンケート結果に基づき、ユーザによるアンケートに対する回答があったか否かを判断する（Ｓ１３）。具体的には、アンケート画面６２上で、「入力しない」のチェックボックス６５にチェックがなされていた場合、アンケートに対する回答がなかったと判断する。
【００５５】
アンケートに対するユーザの回答がなかった場合（Ｓ１３でＮＯ）、コントローラ２０はすべての画像処理のデフォルト値を、中間の値である「３」に設定する（Ｓ１８）。
【００５６】
アンケートに対するユーザの回答があった場合（Ｓ１３でＹＥＳ）、コントローラ２０は、性別に関するアンケートの回答が「男性」であるか否かを判断する（Ｓ１４）。
【００５７】
アンケートの回答が「男性」である場合（Ｓ１４でＹＥＳ）、コントローラ２０は、すべての画像処理に対する制御パラメータのデフォルト値を、最小の値である「１」に設定する（Ｓ１７）。
【００５８】
アンケートの回答が「男性」でない場合（Ｓ１４でＮＯ）、コントローラ２０は、性別に関するアンケートの回答が「女性」であるか否かを判断する（Ｓ１５）。
【００５９】
アンケートの回答が「男性」でも「女性」でない場合（Ｓ１５でＮＯ）、コントローラ２０は、すべての画像処理に対する制御パラメータのデフォルト値を、中間の値である「３」に設定する（Ｓ１６）。
【００６０】
アンケートの回答が「女性」である場合（Ｓ１５でＹＥＳ）、コントローラ２０は、年齢に応じて画像処理に対する制御パラメータのデフォルト値を設定する（Ｓ１９〜Ｓ２３）。具体的には、ユーザの年齢が０歳以上１８歳以下の場合（Ｓ１９でＹＥＳ）、すべての画像処理に対する制御パラメータのデフォルト値を「４」に設定する（Ｓ２０）。ユーザの年齢が１９歳以上２５歳以下の場合（Ｓ２１でＹＥＳ）、すべての画像処理に対する制御パラメータのデフォルト値を「３」に設定する（Ｓ２２）。ユーザの年齢が２６歳以上の場合（Ｓ２１でＮＯ）、すべての画像処理に対する制御パラメータのデフォルト値を「２」に設定する（Ｓ２３）。
【００６１】
以上のように、アンケートの回答がなかった場合、または、「男性」でも「女性」でもないとの回答を受けた場合は、デフォルト値は中間値である「３」に設定する。「男性」であるとの回答を受けた場合は、デフォルト値は「１」に設定する。「女性」であるとの回答を受けた場合は、年齢に応じてデフォルト値を異ならせている。男性の場合に、デフォルト値を小さい値に設定しているのは、一般的に男性は、画像に対して「美肌」等の画像処理を施す傾向が小さいからである。また、女性の場合に男性よりもデフォルト値を大きくしているのは、女性の方が男性よりも、画像に対して「美肌」等の画像処理を施す傾向がより大きいからである。また、女性の場合に年齢が若いほど、デフォルト値を大きい値に設定しているのは、若いほど、画像に対して「美肌」等の画像処理を施す傾向がより大きいからである。
【００６２】
２−６．画像撮影処理
図９は、携帯端末１００における画像撮影処理を示すフローチャートである。本処理は、カメラアプリケーション４２が最初に起動され、アンケート画面での入力が完了した後、または、カメラアプリケーション４２が２回目以降に起動されたときに実行される。本処理の実行時には、携帯端末１００のディスプレイ１８上に画像撮影用画面７０が表示されている。
【００６３】
コントローラ２０は、フラッシュメモリ２２から画像処理用の制御パラメータのデフォルト値を読み出す（Ｓ３０）。コントローラ２０は、画像センサ１２で撮像した撮像画像を画像撮影用画面７０の表示領域７１に表示する（Ｓ３１）。このとき、撮像画像は画像処理回路１４により、読み出した制御パラメータのデフォルト値に基づく画像処理がなされ、画像処理後の画像が画像撮影用画面７０の表示領域７１に表示される。すなわち、ライブビュー表示においては、制御パラメータのデフォルト値に基づく画像処理が反映された撮像画像が表示される。よって、ユーザは、ライブビュー表示を参照することで、画像処理の状態を認識することができる。
【００６４】
その後、コントローラ２０は、ユーザによるレタッチ操作が開始されたか否かを判断する（Ｓ３２）。この判断は、画像撮影用画面７０上で、マイレタッチボタン７４がタッチされたか否かによりなされる。
【００６５】
ユーザによりレタッチ操作が開始された場合（Ｓ３２でＹＥＳ）、コントローラ２０は、ユーザにより設定された制御パラメータの情報を取得する（Ｓ３３）。さらに、コントローラ２０は、ユーザにより設定された制御パラメータの情報に基づき撮像画像に対する画像処理を行うように画像処理回路１４を制御する。これにより、画像処理回路１４は、撮像画像に対して、ユーザにより設定された制御パラメータに基づく画像処理を施す。そして画像処理後の画像が画像撮影用画面７０の表示領域７１に表示される。
【００６６】
ユーザによるレタッチ操作が終了するまで（Ｓ３５）、すなわち、ユーザによりマーク７８がタッチされるまで、上記の処理（ステップＳ３３、Ｓ３４）が繰り返される。
【００６７】
ユーザによるレタッチ操作が終了すると（Ｓ３５でＹＥＳ）、または、そもそもレタッチ操作が開始されていない場合（Ｓ３２でＮＯ）、コントローラ２０は、ユーザによる撮影開始指示を受けたか否かを判断する（Ｓ３６）。撮影開始指示は、シャッタボタン７３のタッチの検出により判断できる。ユーザからの撮影開始指示を受けていない場合（Ｓ３６でＮＯ）、コントローラ２０はステップＳ３１に戻り、上記の処理を繰り返す（Ｓ３１〜Ｓ３５）。
【００６８】
ユーザからの撮影開始指示を受けた場合（Ｓ３６でＹＥＳ）、コントローラ２０は、その時点で画像センサ１２により撮像され、画像処理回路１４により画像処理が施された画像の画像データをフラッシュメモリ２２またはメモリカード３４に記録する（Ｓ３７）。
【００６９】
その後、ユーザによりカメラアプリケーション４２の終了のための操作がなされるまで（Ｓ３８）、ステップＳ３１〜Ｓ３８の処理が繰り返される。カメラアプリケーション４２が終了した状態とは、例えば、カメラアプリケーション４２がコントローラ２０のＲＡＭから削除された状態である。すなわち、カメラアプリケーション４２がバックグラウンドで実行中も、ステップＳ３１〜Ｓ３８の処理が繰り返される。ユーザによりカメラアプリケーション４２の終了のための操作がなされると（Ｓ３８でＹＥＳ）、本処理を終了する。
【００７０】
２−７．レタッチ設定画面の別の例
カメラアプリケーション４２において、ユーザにより設定されたレタッチの情報を保存し、読み出すことができる機能を設けてもよい。
【００７１】
図１０は、そのような機能を有するカメラアプリケーション４２により表示されるマイレタッチ画面の一例を示す図である。このマイレタッチ画面７０ｂは、図６（Ｂ）に示すマイレタッチ画面７０ｂの要素に加えて、レタッチキープボタン１１１と、レタッチキープ保存ボタン１１２とをさらに含む。レタッチキープ保存ボタン１１２は、ユーザにより設定されたレタッチ設定を保存するためのボタンである。レタッチキープボタン１１１は、過去に保存されたレタッチ設定を呼び出すためのボタンである。
【００７２】
図１１は、レタッチ設定の保存動作を説明した図である。図１１（Ａ）に示すマイレタッチ画面７０ｂにおいて、ユーザにより、レタッチキープ保存ボタン１１２がタッチされると、図１１（Ｂ）に示すような、保存するレタッチ設定の名前を入力するための入力ボックス１１３と、ソフトウェアキーボード１１５とが表示される。ユーザは、ソフトウェアキーボード１１５を使用して、入力ボックス１１３に、レタッチ設定の名前を入力することができる。
【００７３】
過去に保存したレタッチ設定は、マイレタッチ画面７０ｂにおいてレタッチキープボタン１１１により呼び出すことができる。図１２は、レタッチ設定の呼び出し動作を説明した図である。図１２（Ａ）に示すマイレタッチ画面７０ｂにおいて、ユーザにより、レタッチキープボタン１１１がタッチされると、図１２（Ｂ）に示すような、過去に保存したレタッチ設定の一覧が表示される。図１２（Ｂ）は、「ナチュ盛り用」、「しっかり盛り用」、「すっぴん用」と名付けられた３つのレタッチ設定１１９、１２１、１２３が過去に保存されたことを示している。
【００７４】
１つのレタッチ設定を左方向にスワイプすることにより、その設定の削除用ボタンが表示される。図１２（Ｂ）の例では、「すっぴん用」のレタッチ設定１２３を左方向にスワイプすることで、削除用ボタン１２３ｂが表示されている。この削除用ボタン１２３ｂをタッチすることで、「すっぴん用」のレタッチ設定１２３を削除できる。
【００７５】
レタッチキープ一覧の画面７０ｄにおいて、「×」のマーク１２５をタッチすることで、マイレタッチ画面７０ｂに戻ることができる。
【００７６】
なお、上記の例では、アンケート結果に基づき、マイレタッチ機能に関する制御パラメータのデフォルト値を変更した。マイレタッチ機能に関する設定のデフォルト値に代えて、または、それに加えて、フィルタ処理に関する制御パラメータのデフォルト値についてもアンケート結果に基づき設定してもよい。例えば、回答がない場合、デフォルト値を１に設定する。性別が「男性」である場合、デフォルト値を「３」に設定してもよい。性別が「女性」である場合、マイレタッチ機能の場合と同様に、年齢の範囲に応じてデフォルト値を異ならせて設定してもよい。
【００７７】
また、アンケートとして、ユーザの性別と年齢について質問したが、アンケートの項目はこれらに限定されるものではない。例えば、「かわいい風」、「きれい風」などのイメージをユーザに選択させるようにてもよい。その場合、イメージをモデル画像（サンプル画像）として表示して、ユーザに選択させるようにしてもよい。
【００７８】
また、被写体が複数の人物を含む場合、人数に応じて画像処理を変更するようにしてもよい。具体的には、コントローラ２０が撮像画像から、顔認識により顔の個数を検出することで人数を認識し、認識した人数に応じて画像処理用の制御パラメータ（適用強度）を変更するようにしてもよい。例えば、人数が多いほど、制御パラメータ（適用強度）が小さくなるように設定してもよい。具体的には、人数が「１」の場合、制御パラメータの値を「４」（比較的大きな値）に設定し、人数が「３」の場合、制御パラメータの値を「２」（比較的小さな値）に設定するようにしてもよい。これは、人数が多くなるほど、画像における一人当たりの顔の大きさがより小さくなると考えられ、一人当たりの顔に対する画像処理の効果の影響が目立たなくなると考えられるからである。なお、顔が複数検出された場合、各顔に対する画像処理に対して一律に同じ制御パラメータが適用される。また、男性、女性が混在している場合でも一律に同じ制御パラメータが適用される。
【００７９】
なお、人数以外に、顔の位置（画像のどの領域に顔が存在するか）、顔の向き（どの方向に向いているか）及び／または顔のサイズ（大きさ）に基づき、画像処理のパラメータを設定してもよい。
【００８０】
３．まとめ
以上のように、本実施の形態の携帯端末１００は、被写体像を撮像して画像データを生成する画像センサ１２と、ユーザからの、画像データに対する画像処理に関する設定を受け付ける設定画面７０ｂ、７０ｃを表示するディスプレイ１８と、設定画面での設定に応じて決定される制御パラメータにしたがい画像処理を行う画像処理回路１４と、アンケートをディスプレイ１８に表示させ、アンケートに対するユーザからの回答を取得し、取得した回答にしたがい制御パラメータのデフォルト値を設定するコントローラ２０と、を備える。画像処理回路１４は、制御パラメータにしたがい画像データに対してリアルタイムで画像処理を行う。設定画面７０ｂ、７０ｃは、画像処理回路１４により画像処理された画像データが示す画像をリアルタイムで表示する表示領域７１を含む。
【００８１】
このような構成により、ユーザからのアンケートの回答に基づき画像処理に関する制御パラメータのデフォルト値が自動で設定される。このため、設定画面７０ｂ、７０ｃでの設定値（制御パラメータに対応）に関してユーザが選択しそうな値に予め設定されるため、ユーザの利便性が増す。さらに、ディスプレイ１８は、制御パラメータにしたがい画像処理された画像をリアルタイムで表示することから、ユーザは、画像処理に関する設定を変更したときに、その変更の画像への影響を迅速に認識することができる。よって、ユーザは、所望の画像効果が得られる設定を容易かつ迅速に決定することが可能となる。
【００８２】
（その他の実施の形態）
上記の実施の形態で説明した種々の思想は、適宜組み合わせることができ、また、当業者の技術常識に基づき、適宜、変更、置き換え、付加、省略などもできる。以下に、上記の実施の形態で開示した思想に適用できる他の構成を説明する。
【００８３】
上記の実施の形態では、携帯端末１００において、アンケート結果に基づき制御パラメータのデフォルト値を設定したが、この処理をサーバ５００において行ってもよい。図１３は、サーバ５００においてパラメータのデフォルト値を設定する場合のシーケンス図である。
【００８４】
図１３に示すように、携帯端末１００（コントローラ２０）は、ディスプレイ１８にアンケートを表示し（Ｓ５１）、ユーザによるアンケートに対する回答を取得する（Ｓ５２）。携帯端末１００は、アンケートに対する回答を示す情報をサーバ５００に送信する（Ｓ５３）。サーバ５００は、通信モジュール５１０を介してアンケートに対する回答を示す情報を受信する（Ｓ６１）。サーバ５００（コントローラ５２０）は、図８に示すフローチャートの手順（Ｓ１３〜Ｓ２３）にしたがい、アンケートに対する回答に基づきパラメータのデフォルト値を求め（Ｓ６２）、通信モジュール５１０を介して携帯端末１００に送信する（Ｓ６３）。携帯端末１００はパラメータのデフォルト値を受信すると（Ｓ５４）、受信したパラメータのデフォルト値をフラッシュメモリ２２に格納する（Ｓ５５）。このように、サーバ５００においてパラメータのデフォルト値を求めてもよい。
【００８５】
上記の実施の形態で示した画像処理（「美肌」、「小顔」、…、フィルタ処理等）は例示であり、上記のものに限定されるものではない。
【００８６】
上記の実施の形態で示した思想は、携帯端末１００以外の電子機器に対しても適用することができる。すなわち、画像を撮影し、撮影した画像に対して加工が可能な電子機器であれば、上記の実施の形態で開示した思想を適用することができる。
【００８７】
上記の実施の形態は、本開示における技術を例示するためのものであるから、特許請求の範囲またはその均等の範囲において種々の変更、置き換え、付加、省略などを行うことができる。
【符号の説明】
【００８８】
１０  光学系
１２  画像センサ
１４  画像処理回路
１８  ディスプレイ
２０  コントローラ
２２  フラッシュメモリ
２４  操作部
２６  Ｗｉ−Ｆｉモジュール
２８  Ｂｌｕｅｔｏｏｔｈモジュール
３０  ４Ｇモジュール
３４  メモリカード
４２  カメラアプリケーション
４４  画像処理パラメータのデフォルト値
６２  アンケート画面
７１  表示領域
７３  シャッタボタン
７４  マイレタッチボタン
７５  フィルタ設定ボタン
８５  美肌ボタン
８７  デカ目ボタン
８９  小顔ボタン
９３〜９９  フィルタ設定用ボタン
１００  携帯端末
１１１  レタッチキープボタン
１１２  レタッチキープ保存ボタン
３００  ネットワーク
５００  サーバ
【図１】
2020022143.tif 000003
【図２】
2020022143.tif 000004
【図３】
2020022143.tif 000005
【図４】
2020022143.tif 000006
【図５】
2020022143.tif 000007
【図６】
2020022143.tif 000008
【図７】
2020022143.tif 000009
【図８】
2020022143.tif 000010
【図９】
2020022143.tif 000011
【図１０】
2020022143.tif 000012
【図１１】
2020022143.tif 000013
【図１２】
2020022143.tif 000014
【図１３】
2020022143.tif 000015